(57)【要約】      （修正有）【課題】携行して使用されるゴルフマーカーは多種多彩なものが販売されているが、最近は差し込んで使用するものからその場所に留め置くタイプのものが好まれる傾向に移行している。しかしながら、留め置くタイプのものは特徴的なものが少なく変哲の無いものが多いことから、識別に迷う場面にしばしば遭遇している出願人は、最近多くなった女性ゴルファー用に、携行が簡便で紛失しにくく且つ芝生などでも容易に識別可能で意匠的にも工夫されたゴルフマーカーを提供する。【解決手段】携行して使用されるゴルフマーカーにおいて、クリップと磁石の機能を備えネクタイピン形状を呈する本体Ａのクリップ１上面に葉形模様体２を一体的に設けるとともに、この葉形模様体２に、金属製の基盤３一体的に取り付けられた花形模様体４を磁力で着脱自在に設けられたことを特徴とし、また、金属製基盤に一体的に取り付けられる花形模様体を、立体的態様の模造花とした。【選択図】図１
0003130797.tif 000002
【実用新案登録請求の範囲】
【請求項１】
携行して使用されるゴルフマーカーにおいて、クリップと磁石の機能を備えネクタイピン形状を呈する本体Ａのクリップ１上面に木の葉形模様体２を一体的に設けるとともに、この葉形模様体２に、金属製の基盤３に一体的に取り付けられた花形模様体４を磁力で着脱自在に
設けたことを特徴とするゴルフマーカー。
【請求項２】
金属製基盤に一体的に取り付けられる花形模様体４を、立体的態様の模造花としたことを特徴とする請求項１記載のゴルフマーカー。
【考案の詳細な説明】
【技術分野】
【０００１】  本考案は携行して使用されるゴルフマーカーに係り、特に女性ゴルファー用に考案されたものである。
【背景技術】
【０００２】  携行して使用されるゴルフマーカーは多種多彩なものが販売されている。特に最近は、芝生などに差し込んで使用するものから、その場所に留め置くタイプのものが好まれる傾向に移行している。
【考案の開示】
【考案が解決しようとする課題】
【０００３】  しかしながら、これら留め置くタイプのものは特徴的なものが少なく変哲の無いものが多いことから、識別に迷う場面にしばしば遭遇する。
そこで出願人は、最近多くなった女性ゴルファー用に、携行が簡便で紛失しにくく且つ芝生などでも容易に識別可能で意匠的にも工夫されたゴルフマーカーを提供しようとするものである。
【課題を解決するための手段】
【０００４】  携行して使用されるゴルフマーカーにおいて、クリップと磁石の機能を備えネクタイピン形状を呈する本体のクリップ上面に木の葉形模様体を一体的に設けるとともに、この葉形模様体に、金属製の基盤に一体的に取り付けられた花形模様体を磁力で着脱自在に設けられていて、金属製基盤に一体的に取り付けられる花形模様体を、立体的態様の模造花としたことを特徴とするものである。
【考案の効果】
【０００５】  本考案は以下の効果を奏するものである。
（１）本体とマーカーは磁力で着脱自在となっているので、使用と回収、更には携行の手順と行動に煩わしさが無く使い勝手が良い。【０００６】（２）留め置くタイプのマーカーながら、マーカー自体を花形模様体で立体的な模造花としたことで、現地での識別が頗る容易に素早くできる。【０００７】（３）マーカー自体を花形模様体で立体的な模造花とし、このマーカーの携行は本体のクリップ上面の葉形模様体に取り付けられてなされるので、女性らしさを醸し出すことができるばかりでなく、違和感無く帽子のひさしやシャツの襟に取り付け携行できる。
【考案を実施するための最良の形態】
【０００８】  本考案は、携行して使用されるゴルフマーカーにおいて、クリップと磁石の機能を備えネクタイピン形状を呈する本体Ａのクリップ１上面に、葉形模様体２を一体的に設けるとともに、この葉形模様体２に、金属製の基盤３に一体的に取り付けられた花形模様体４を磁力で着脱自在に設けられたことを特徴とするもので、葉形模様体２のクリップ１上面への取付けは、例えば接着剤による貼付けなど容易に離脱しない方法によってなされる。【０００９】  花形模様体４が取付けられた金属製の基盤３を、着脱自在に本体Ａのクリップへ設ける方法は磁力による方法が採用されていて、例えば、クリップ１の裏面に磁石片を予め備えておく方法が簡便な実施例として考えられるが、要は、前記金属製の基盤３を磁力で係止固定できる手段であれば本考案の実施に差し支え無い。ここで、基盤３は図示の円盤状にこだわらず、針金を渦巻状にしたものであってもその役目は果たす。
また、本体Ａ及び基盤３は屋外で使用されることを考慮し、例えばクロームメッキや塗装などによる耐錆加工が施される。【００１０】  本考案は、金属製基盤３に一体的に取り付けられる花形模様体４を立体的態様の模造花としており、留め置くタイプのマーカーとしてこの立体的な模造花であることが、現地で素早く識別する決め手となる。また、本体に取り付け携行する時もお洒落なアクセサリー的役を果たす。したがって、図示の葉形模様体２と桜の花なとのように、一定の関連性が保たれていれば、模造花は図示のものに限定される事なくデザインされる。
【実施例】
【００１１】  図面に示す実施例に基づき本考案を説明すると、図１は本考案のゴルフマーカーを構成する二つの要素の内の一つ、本体Ａを示したものである。該体はクリップと磁石の機能を備えていて、ネクタイピンの形状を呈している。したがって、発条５の働きでクリップは開閉自在でその先端部位は（挟持部）は取付け物を挟み込んで係止固定する作用を行なう。【００１２】    この本体Ａのクリップ１上面に、葉形模様体２を一体的に設けて本体Ａは完成されるが、このとき、該葉形模様体２は容易にクリップ１上面から容易に離脱しない取付けがなされることが肝要である。また、上記葉形模様体２を除く本体の各所は屋外に携行されることを考慮してクロームメッキなとの防錆処理がなされることが望ましい。【００１３】  図２は本考案を構成するもう一つの要素で、本体Ａのクリップ上面に設けられた葉形模様体に取付けられて携行される花形模様体４を説明するものである。この花形模様体４は金属製の基盤３に一体的に取り付けられていて、前記本体Ａとは磁力で着脱自在に取付けられているものであって、図示の実施例のように立体的態様を呈する模造花のゴルフマーカーである。
【産業上の利用可能性】
【００１４】  以上のように、本考案は携行して使用されるゴルフマーカーにおいて、クリップと磁石の機能を備え、ネクタイピン形状を呈する本体Ａのクリップ１上面に葉形模様体２を一体的に設けるとともに、この葉形模様体２に、金属製の基盤３一体的に取り付けられた花形模様体４を磁力で着脱自在に設け、該花形模様体４を立体的態様の模造花としたことを特徴とするゴルフマーカーであるから、帽子のひさしやシャツの襟なとに取付けて携行でき、その上、使用時には本体から取り外して素早く所定位置に置くことができるばかりでなく、立体的態様の模造花をもって形成されていることから、特に女性ゴルファー用として多くの需要が見込める。また、完成に至る製造過程で然したる困難な加工も無く、製造上の課題も存在しないので産業上の利用可能性は頗る高いものが有る。
【図面の簡単な説明】
【００１５】
【図１】本考案を構成する要素の一つ、本体Ａの実施例を説明する図である。
【図２】本考案を構成するもう一つの要素で、図１の本体Ａに取付けて携行される立体的態様の花形模様の実施例模造花を説明する図である。
【符号の説明】
【００１６】  Ａ本体  １クリップ上面片  ２葉形模様  ３金属製基盤  ４花形模様  ５発条
【図１】
0003130797.tif 000003
【図２】
0003130797.tif 000004